【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
パスポートを見開き状態で収容するホルダと、
搬送媒体として前記ホルダを搬送するローラと、
前記ローラによって搬送される前記ホルダに収容された前記見開き状態のパスポートの画像を読み取る画像読取ユニットと、を備え、
前記ホルダは、第一の板部と第二の板部とが前記ホルダの搬送方向の先端側と後端側で固定されることで前記見開き状態のパスポートが収容される収容部を形成し、前記収容部の前記搬送方向における両側方が開放されていることを特徴とする画像読取システム。
【請求項２】
前記第一の板部及び前記第二の板部を固定する固定部は、前記ホルダの搬送方向で先端側に位置し且つ前記搬送方向と直交する幅方向に沿う第一の固定領域と、前記ホルダの搬送方向で後端側に位置し且つ前記幅方向に沿う第二の固定領域とを有し、
前記搬送方向における前記第一の固定領域と前記第二の固定領域との間の距離は、前記見開き状態のパスポートにおける長手方向の幅よりも大きく、
前記パスポートは、前記長手方向と前記搬送方向とが平行となるように前記ホルダに収容されることを特徴とする請求項１に記載の画像読取システム。
【請求項３】
前記搬送方向における前記第一の固定領域と前記第二の固定領域との間の長さをＬ１とし、前記長手方向の長さをＬとした場合において、Ｌ≦Ｌ１≦１．１０×Ｌの関係を満たすことを特徴とする請求項２に記載の画像読取システム。
【請求項４】
前記第一の板部及び前記第二の板部は、前記見開き状態のパスポートにおける見開き頁のサイズよりも大きいことを特徴とする請求項１から３のいずれか１項に記載の画像読取システム。
【請求項５】
前記固定部は、前記第一の板部と前記第二の板部との隙間を規定するスペーサとして機能することを特徴とする請求項２に記載の画像読取システム。
【請求項６】
前記固定部は、前記第一の板部と前記第二の板部との間に設けられたスペーサ基材と、その表面に設けた接着剤とから構成された接着層であることを特徴とする請求項５に記載の画像読取システム。
【請求項７】
前記収容部における前記第一の板部は透明であり、前記第二の板部は、画像読取時において前記見開き状態のパスポートに対する有色の背景板を構成することを特徴とする請求項１から６のいずれか１項に記載の画像読取システム。
【請求項８】
前記第二の板部は、画像読取時において前記見開き状態のパスポートに対する白色の背景板を構成することを特徴とする請求項７に記載の画像読取システム。
【請求項９】
前記第一の板部および前記第二の板部が弾性変形することで、前記収容部において前記パスポートを挟持することを特徴とする請求項１から８のいずれか１項に記載の画像読取システム。
【請求項１０】
前記第一の板部と前記第二の板部とは、厚さが０．２５ｍｍ以上となるプラスチック材料であることを特徴とする請求項１から９のいずれか１項に記載の画像読取システム。
【請求項１１】
前記ローラに圧接するように対向して配置される他のローラを有し、
前記ホルダは、前記ローラと前記他のローラとで挟持されて搬送されることを特徴とする請求項１から１０のいずれか１項に記載の画像読取システム。
【請求項１２】
前記第一の固定領域及び前記第二の固定領域は、それぞれ、前記幅方向の全体に亘って設けられていることを特徴とする請求項２または３に記載の画像読取システム。
【請求項１３】
前記第一の固定領域と前記第二の固定領域とは、互いに非対称に設けられていることを特徴とする請求項２または３に記載の画像読取システム。
【請求項１４】
前記第一の固定領域の一部は、前記ホルダにおける前記搬送方向と平行な辺に沿って形成されていることを特徴とする請求項２または３に記載の画像読取システム。
【請求項１５】
前記画像読取システムは、載置台に載置された搬送媒体を１つずつ経路に沿って排出トレイに向けて搬送する画像読取装置を含み、
前記経路は、前記画像読取装置の底面に対して斜めに設けられて、前記排出トレイに向かうにつれて前記底面との距離が短くなり、
前記ホルダの、前記第一の板部と前記第二の板部とは、厚さが０．６０ｍｍ以下であることを特徴とする請求項１から１４のいずれか１項に記載の画像読取システム。
【請求項１６】
複数の前記搬送媒体を１つずつ分離して前記搬送方向に搬送するための分離機構と、
前記分離機構に対し、前記搬送方向における下流側に配置された搬送機構と、を備え、
前記分離機構は、送りローラと、前記送りローラに対向配置された分離ローラとを備え、
前記搬送機構は、駆動ローラと、前記駆動ローラに従動する従動ローラとを備え、
前記ホルダを搬送するローラは、前記分離機構が有する前記送りローラ、又は前記搬送機構が有する駆動ローラであることを特徴とする請求項１から１４のいずれか１項に記載の画像読取システム。
【請求項１７】
前記第一の板部側に読み取り頁が向くように前記見開き状態のパスポートが前記収容部に収容された前記ホルダを、前記ホルダを搬送するローラによって搬送して、前記画像読取ユニットによって前記第一の板部を通して前記パスポートの前記読み取り頁の画像を読み取ることを特徴とする請求項１から１６のいずれか１項に記載の画像読取システム。
【請求項１８】
パスポートを見開き状態で収容するホルダと、
搬送媒体として前記ホルダを搬送するローラと、
前記ローラによって搬送される前記ホルダに収容された前記見開き状態のパスポートの画像を読み取る画像読取ユニットと、を備え、
前記ホルダは、有色のプラスチック製シート部材と、前記パスポートが読み取り可能なように透明なプラスチック製シート部材とが前記ホルダの搬送方向における先端側及び後端側で固定されたものであることを特徴とする画像読取システム。
【請求項１９】
パスポートを見開き状態で収容するホルダを載置する載置台と、
搬送媒体として前記ホルダを搬送するローラと、
前記ローラによって搬送される前記ホルダに収容された前記見開き状態のパスポートの画像を読み取る画像読取ユニットと、を備え、
前記ホルダは、第一の板部と第二の板部とが前記ホルダの搬送方向の先端側と後端側で固定されることで前記見開き状態のパスポートが収容される収容部を形成し、前記収容部の前記搬送方向における両側方が開放されていることを特徴とする画像読取装置。
【請求項２０】
画像読取ユニットと、前記画像読取ユニットに対して搬送媒体を搬送可能な搬送機構と、を備えた画像読取装置の前記搬送機構により、パスポートを見開き状態で収容した状態で搬送可能とするためのホルダであって、
第一の板部と第二の板部とが、前記ホルダの搬送方向の先端側と後端側で固定されることで前記見開き状態のパスポートが収容される収容部を形成し、前記収容部の前記搬送方向における両側方が開放されていることを特徴とするホルダ。
【請求項２１】
前記第二の板部は、前記第一の板部に対面して固定されて前記第一の板部と共に前記収容部を形成し、
前記第一の板部と前記第二の板部とを互いに固定する固定部は、
前記ホルダの搬送方向で先端側に位置し、前記搬送方向と直交する方向に沿う第一の固定領域と、
前記搬送方向で後端側に位置し、前記搬送方向と直交する方向に沿う第二の固定領域と、を少なくとも含むことを特徴とする請求項２０に記載のホルダ。
【請求項２２】
前記収容部の、前記搬送方向で先端側の領域において、前記第一の板部と前記第二の板部とがパスポートの端部を挟持するように、前記第一の固定領域において前記第一の板部と前記第二の板部とが互いに固定され、
前記収容部の、前記搬送方向で後端側の領域において、前記第一の板部と前記第二の板部とがパスポートの端部を挟持するように、前記第二の固定領域において前記第一の板部と前記第二の板部とが互いに固定されることを特徴とする請求項２１に記載のホルダ。
【請求項２３】
前記第一の板部および前記第二の板部が弾性変形することで、前記収容部において前記パスポートを挟持することを特徴とする請求項２０から２２のいずれか１項に記載のホルダ。
【請求項２４】
前記収容部は、パスポートの前記見開き状態における長手方向が前記搬送方向となるようにパスポートを収容することを特徴とする請求項２０から２３のいずれか１項に記載のホルダ。
【請求項２５】
前記第一の板部と前記第二の板部とは、厚さが０．２５ｍｍ以上となるプラスチック材料であることで、搬送時において、パスポートの頁間の段差と重なる部分において、少なくとも前記段差よりも緩やかに変形する剛性を有することを特徴とする請求項２０から２４のいずれか１項に記載のホルダ。
【請求項２６】
前記ホルダの外形が長方形であり、
前記ホルダの四辺のうちの互いに対向する第一辺及び第二辺が前記搬送方向と直交し、
前記ホルダの四辺のうちの互いに対向する第三辺及び第四辺が前記搬送方向と平行であり、
前記第一の固定領域は、前記第一辺に沿って前記第一の板部と前記第二の板部とを互いに固定する領域であり、
前記第二の固定領域は、前記第二辺に沿って前記第一の板部と前記第二の板部とを互いに固定する領域であることを特徴とする請求項２１に記載のホルダ。
【請求項２７】
前記第一の固定領域及び前記第二の固定領域では、それぞれ、前記搬送方向と直交する方向に沿って、連続的又は間欠的に前記第一の板部と前記第二の板部とが互いに固定されることを特徴とする請求項２６に記載のホルダ。
【請求項２８】
前記固定部は、前記第一の板部と前記第二の板部とを互いに固定すると共に、前記第一の板部と前記第二の板部との間の隙間を規定する、
ことを特徴とする請求項２１に記載のホルダ。
【請求項２９】
前記第二の板部は白色であることを特徴とする請求項２０から２７のいずれか１項に記載のホルダ。
【請求項３０】
前記搬送方向と直交する方向で、前記ホルダの中心線に対して、前記固定部が対称に配置されていることを特徴とする請求項２１に記載のホルダ。
【手続補正２】
【補正対象書類名】明細書
【補正対象項目名】発明の名称
【補正方法】変更
【補正の内容】
【発明の名称】画像読取システム、画像読取装置及びホルダ
【手続補正３】
【補正対象書類名】明細書
【補正対象項目名】０００６
【補正方法】変更
【補正の内容】
【０００６】
本発明によれば、例えば、パスポートを見開き状態で収容するホルダと、搬送媒体として前記ホルダを搬送するローラと、前記ローラによって搬送される前記ホルダに収容された前記見開き状態のパスポートの画像を読み取る画像読取ユニットと、を備え、前記ホルダは、第一の板部と第二の板部とが前記ホルダの搬送方向の先端側と後端側で固定されることで前記見開き状態のパスポートが収容される収容部を形成し、前記収容部の前記搬送方向における両側方が開放されていることを特徴とする画像読取システムが提供される。